(57)【要約】【課題】  釣竿と分離収納したピトンシャフト等の金属製の棒状体の移動を簡単な構造で抑制することができる釣竿ケースを提供する。【解決手段】  釣竿が収納可能なように縦長に形成されたケース本体１を備える釣竿ケースであって、金属製の棒状体Ｓを釣竿と分離して収納するための仕切部材１３がケース本体１内に設けられ、該仕切部材１３によって竿収納部４と区画された棒状体収納部５の壁面には、棒状体Ｓが差し込まれる差し込み口を有する棒状体ホルダー１６が設けられている。【選択図】  図１
2008173072.tif 000002
【特許請求の範囲】
【請求項１】
釣竿が収納可能なように縦長に形成されたケース本体を備える釣竿ケースであって、
金属製の棒状体を釣竿と分離して収納するための仕切部材がケース本体内に設けられ、該仕切部材によって竿収納部と区画された棒状体収納部の壁面には、前記棒状体が差し込まれる差し込み口を有する棒状体ホルダーが設けられていることを特徴とする釣竿ケース。
【請求項２】
仕切部材は縦長帯状に形成されてその一側縁部がケース本体の内面に固定されて該一側縁部を支点として横方向に回動する構成とされ、棒状体ホルダーは仕切部材の一側縁部近傍におけるケース本体の内面に設けられている請求項１記載の釣竿ケース。
【請求項３】
仕切部材は縦長帯状に形成されてその一側縁部がケース本体の内面に固定されて該一側縁部を支点として横方向に回動する構成とされ、棒状体ホルダーはケース本体の内面に設けられると共に該棒状体ホルダーには棒状体の下端部側が上方から差し込まれる構成であり、該棒状体ホルダーの上方には、横方向に長い面ファスナーが仕切部材の棒状体収納部側の面とケース本体の内面とに設けられている請求項１記載の釣竿ケース。
【請求項４】
棒状体ホルダーは上下に貫通する貫通孔を有してその上部開口が差し込み口となって棒状体が上方から差し込まれる構成であり、ケース本体は釣竿の竿尻を支持するためのカップ状の底部材を備え、該底部材の底部内面には凹部が設けられ、該凹部の上方に棒状体ホルダーが位置することによって棒状体ホルダーを貫通した棒状体の下端部が底部材の凹部に挿入できる構成となっている請求項１記載の釣竿ケース。
【発明の詳細な説明】
【技術分野】
【０００１】
本発明は釣竿を収納するための釣竿ケースの改良に関し、特に磯釣り用（中でも石鯛に代表される底物狙い）に適した釣竿ケースに関する。
【背景技術】
【０００２】
磯釣りにはピトンシャフト（竿受けの支柱）などの棒状体が使用されるが、これらはハンマー等で磯に打ち込まれるため金属でできている。従って、釣竿ケース内に収納して携帯する場合には、釣竿との接触を防止するために仕切部材のある釣竿ケースを使用して釣竿とは分離することが必要となる。
【特許文献１】特開２００６−２０４１５５号公報
【発明の開示】
【発明が解決しようとする課題】
【０００３】
しかしながら、これらの棒状体は重量物であるため、仕切部材で竿収納部と区画された棒状体収納部内において棒状体が釣竿ケースの携帯中に移動しやすく、例えば仕切部材とケース内面との間に隙間が存在する場合にはその隙間を棒状体が通過して釣竿と接触するおそれがある。
【０００４】
それゆえに本発明は、上記従来の問題に鑑みてなされ、釣竿と分離収納したピトンシャフト等の金属製の棒状体の移動を簡単な構造で抑制することができる釣竿ケースを提供することを課題とする。
【課題を解決するための手段】
【０００５】
本発明は、上記課題を解決すべくなされたものであり、本発明に係る釣竿ケースは、釣竿が収納可能なように縦長に形成されたケース本体を備える釣竿ケースであって、金属製の棒状体を釣竿と分離して収納するための仕切部材がケース本体内に設けられ、該仕切部材によって竿収納部と区画された棒状体収納部の壁面には、前記棒状体が差し込まれる差し込み口を有する棒状体ホルダーが設けられていることを特徴とする。
【０００６】
該構成の釣竿ケースにあっては、仕切部材によって竿収納部と区画された棒状体収納部にピトンシャフト等の棒状体を収納することができ、仕切部材で釣竿と棒状体とを分離することができる。そして、棒状体収納部の壁面には棒状体ホルダーが設けられているので、その差し込み口から棒状体を差し込むと棒状体ホルダーによって棒状体の横方向の移動が抑制されることとなる。また、釣り場では棒状体ホルダーに差し込んでいる棒状体を抜いて釣竿ケースから棒状体を取り出し、磯等に打ちつけて使用する。
【０００７】
また、仕切部材は縦長帯状に形成されてその一側縁部がケース本体の内面に固定されて該一側縁部を支点として横方向に回動する構成とされ、棒状体ホルダーは仕切部材の一側縁部近傍におけるケース本体の内面に設けられていることが好ましい。棒状体ホルダーを仕切部材側に設けることも可能であるが、ケース本体の内面側に設けることが好ましく、これにより重量物である棒状体の安定性が増す。しかも、棒状体ホルダーが仕切部材の回動支点側に位置しているので、そこに差し込まれた棒状体は仕切部材の先端ではなく基端側でケース本体の内面との間に挟み込まれることとなり、より一層移動しにくくなる。
【０００８】
また、仕切部材は縦長帯状に形成されてその一側縁部がケース本体の内面に固定されて該一側縁部を支点として横方向に回動する構成とされ、棒状体ホルダーはケース本体の内面に設けられると共に該棒状体ホルダーには棒状体の下端部側が上方から差し込まれる構成であり、該棒状体ホルダーの上方には、横方向に長い面ファスナーが仕切部材の棒状体収納部側の面とケース本体の内面とに設けられていることが好ましい。ケース本体の内面側に棒状体ホルダーを設けることで重量物である棒状体の安定性が増す。更に、棒状体ホルダーを比較的上部に位置させて棒状体の上端部側を下方から差し込む構成とすることも可能であるが、上述のように、棒状体の下端部側を上方から差し込む構成とすることにより重量物である棒状体を上方から容易に差し込んで収納することができ、取り出しも容易である。その一方、棒状体ホルダーの上方には横方向に長い面ファスナーが設けられているので、該面ファスナーによって仕切部材がケース本体の内面に確実に止着されることとなり、ケース本体の内面と仕切部材とによって棒状体が挟み込まれて固定されることとなる。しかも、棒状体が比較的長い場合には、棒状体ホルダーの上方に位置する面ファスナーが棒状体を横断するようにして棒状体の上端部側を径方向に挟持するので、棒状体の上端部側が仕切部材の厚み方向に移動することも確実に抑制されることとなる。更には、その棒状体の左右両側におけるケース本体の内面と仕切部材との間の隙間も面ファスナーで解消されるため、棒状体の上端部側の横方向の移動も抑制されることになる。逆に、棒状体が比較的短くてその上端部が面ファスナーに届かないような場合には、その横方向に長い面ファスナーがいわば堰あるいはストッパーの役目も果たし、それを越える上方への棒状体の移動を阻止する。
【０００９】
また、棒状体ホルダーは上下に貫通する貫通孔を有してその上部開口が差し込み口となって棒状体が上方から差し込まれる構成であり、ケース本体は釣竿の竿尻を支持するためのカップ状の底部材を備え、該底部材の底部内面には凹部が設けられ、該凹部の上方に棒状体ホルダーが位置することによって棒状体ホルダーを貫通した棒状体の下端部が底部材の凹部に挿入できる構成となっていることが好ましい。棒状体の下端部が底部材の凹部に挿入することで、棒状体ホルダーと底部材によって棒状体の横方向の移動がより一層抑制されることとなる。
【発明の効果】
【００１０】
以上のように本発明の釣竿ケースにあっては、棒状体を棒状体ホルダーに差し込むという簡単な作業で棒状体を棒状体収納部に収納でき、且つ、携帯中の棒状体の横方向の移動が抑制されることによって釣竿との接触が確実に防止される。
【発明を実施するための最良の形態】
【００１１】
以下、本発明に係る釣竿ケースの一実施形態について図面を参酌しつつ説明する。
図１乃至図３に示すように本実施形態の釣竿ケースは、釣竿を収納可能なように縦長に形成されたケース本体１と、該ケース本体１の外面に取り付けられた肩掛けベルト（図示省略）及び把手２，３（図３、図１参照）とを備えている。ケース本体１は、全体として縦長筒状に形成されていて縦方向に沿って伸びる本体開口部１０を有し、スライドファスナーによって上下に開閉できるようになっている。ケース本体１は、シート部材を湾曲形成することによって筒状とされた胴体１１と、該胴体１１の下端開口を閉塞すべくその下端に外装着されたカップ状の底部材１２とを備える。尚、胴体１１の上端開口は胴体１１の一部が上方に延長されることによって閉塞される。
【００１２】
ケース本体１の胴体１１は、二つの縦長のシート部材の側縁部同士を縫製により連結一体化したものであって、一方のシート部材は略Ｕ字状あるいは略コの字状に湾曲されて胴体１１の三つの壁面即ち背面１１１と左右両側面１１２，１１３を構成し、他方のシート部材は残る胴体１１の一つの壁面である前面１１４を構成している。尚、他方のシート部材が一方のシート部材よりも上方に延長されることにより、上述したように胴体１１の上端開口が閉塞される。そして、両シート部材が互いに連結されて構成された胴体用シートを湾曲することによって筒状とされているのであるが、該胴体用シートの両側縁部間に前記スライドファスナーが縫着されて本体開口部１０が形成される。即ち、本体開口部１０は、前面１１４の左側縁部と左側面１１３との間に形成されている。
【００１３】
また、一方のシート部材は、表地と裏地との間に硬質ボードを備えている。該硬質ボードは合成樹脂からなり、例えば、ポリプロピレン板やポリエチレン板が使用される。該硬質ボードは本来平板であるので略Ｕ字状等に湾曲されるとその弾性復元力で元の平板状に戻ろうとする。従って、スライドファスナーを開くと硬質ボードの弾性復元力によって自動的に本体開口部１０は開こうとし、胴体１１の略Ｕ字状部分である一方のシート部材も元のフラットな状態に戻ろうとする。また、表地や裏地には種々の生地が使用されるが、例えば、表地にはＰＶＣ生地を裏地にはナイロン生地を使用することができる。なお、表地の外側には部分的あるいは全面的にＥＶＡ等の発泡樹脂シートを縫着等により取り付けることが好ましい。特に、背面１１１の上部や下部に発泡樹脂シートを取り付けて内部の釣竿を保護することが好ましい。なお、この発泡樹脂シートは、単層のものの他、表面にＰＵフィルムやＰＶＣフィルム等の合成樹脂フィルムを傷つき防止用として積層したもののような多層のものも使用できる。また、裏地のナイロン生地にはその外側（表地側）にスポンジ生地（例えばポリウレタンフォーム）を貼り付けて一体としたものを使用してもよく、裏地にクッション性を持たせることによって釣竿が保護特性が向上する。
【００１４】
また、胴体１１の前面１１４を構成している他方のシート部材は、幅略一定に形成されて全体として帯状であり、該他方のシート部材も表地と裏地とを備えており、部分的あるいは全面的に上述したような硬質ボードを内装するようにしてもよい。硬質ボードを部分的に備える場合には、例えば下部に設けることができる。また、表地や裏地の構成についても前記一方のシート部材と同様のものを使用することができる。なお、表地の外側に発泡樹脂シートを全長に亘って積層する以外に中途部のみに積層することもできるが、中途部のみに積層する場合には下部に硬質ボードを内装すると共に発泡樹脂シートの下部と硬質ボードの上部とがオーバーラップするように配置することが好ましく、発泡樹脂シートの下端位置における前面１１４の屈曲を防止することができる。
【００１５】
一方、胴体１１の下端開口を閉塞する前記底部材１２は、合成樹脂から構成されて上部開口のカップ状に成型により形成されている。具体的には、平面視矩形であって、より詳細には、平面視長方形であり、胴体１１の前面１１４と背面１１１に対応する辺が長くなるように形成されている。そして、即ち、底部材１２は、矩形の底部と該底部の周囲四方から上方に伸びる四つの面からなる側壁部とからカップ状に構成されており、該側壁部の内側に前記胴体１１の下端部が差し込まれて全周に亘って縫着されている。また、底部材１２の底部外面には、下方に突出する脚部１２１が四隅に形成されている。該脚部１２１は他の部分と同じ材料から一体に構成することも可能であるが、脚部１２１のみを他の部分よりも柔らかい材料から構成して設置性を高めても良い。その場合、脚部１２１と他の部分とを同時成形してもよく、例えば、脚部１２１としてＴＰＲ（サーモプラスチックラバー）を他の部分としてポリプロピレンを使用して一体成形してもよい。更に、底部材１２の底部内面の四隅には凹部１２２がそれぞれ形成されている。該凹部１２２は例えば平面視矩形であって、脚部１２１に対応した位置にそれぞれ設けられているが、その左右方向中央部にはリブ１２３が突設されている。即ち、該リブ１２３はケース本体１の前後方向に伸びており、その高さは凹部１２２の深さと同じである。このように凹部１２２にリブ１２３を突設させることにより、凹部１２２に釣竿の竿尻が嵌り込むことが防止される一方、竿尻よりも小径で且つ先細りとなっているピトンシャフト等の金属製の棒状体Ｓの下端部Ｓ１はリブ１２３によって複数に区画された凹部１２２の各部屋に嵌り込むことができる。また、リブ１２３によって左右二つの部屋に区画された凹部１２２の一方の部屋における底面には水抜き孔１２４が形成されており、従って、他方の部屋に水が溜まらないように、リブ１２３は凹部１２２を完全には区画せずその一端は凹部１２２の壁面から僅かに離間していて、他方の部屋内の水はその間の隙間から一方の部屋へと移動できる。なお、凹部１２２の壁面に対してリブ１２３の両端を離間させてもよいが、一端のみ離間させる場合にはリブ１２３の両端のうち外側に位置する一端を凹部１２２の壁面から離間させることが水抜きのしやすさから好ましい。また、リブ１２３を凹部１２２の対向する壁面間を連結するように形成する場合には、そのリブ１２３の例えば下端部に左右の部屋を連通させる孔を形成してもよく、その孔の形成位置はリブ１２３の中央よりも外側が好ましい。また、左右両部屋のうち外側の部屋に水抜き孔１２４を形成して内側の部屋に設けた場合に比して簡単に水を抜くことができるようにすることが好ましい。
【００１６】
このようなケース本体１の内部には釣竿を複数収納することができ、更にピトンシャフト等の金属製の棒状体Ｓも同時に収納することができるが、この棒状体Ｓが釣竿に接触することを防止して分離収納できるように、ケース本体１の内面には仕切部材として柔軟性を有する仕切板１３が設けられている。従って、仕切板１３によってケース本体１は竿収納部４とは左右に区画された棒状体収納部５を有することとなる。該仕切板１３はケース本体１の長手方向に沿って長い縦長帯状に形成されていてその一側縁部１３ａが縦方向に沿ってケース本体１の内面に縫着されている。即ち、仕切板１３はその一側縁部１３ａが支点となって横方向（左右）に回動する構成でありその他側縁部１３ｂは自由端とされている。該仕切板１３にはクッション性を持たせることが好ましく、例えば、ナイロン生地の内側にポリウレタンフォーム等のクッション材を貼り合わせたものを一枚あるいは二枚以上重ね合わせて使用したり（二枚使用する場合にはナイロン生地が表となるようにする）、袋状に形成したナイロン生地の内部に別途クッション材を介在させたりすることができる。何れにしても、仕切板１３にクッション性を持たせることで釣竿をより一層保護できる。また、仕切板１３の周縁部にはポリプロピレン製の縁取りテープ１３ｃを施している。
【００１７】
このような構成の仕切板１３は、ケース本体１の下側、具体的には下側半分の領域に取り付けられている。そして、仕切板１３の下端は底部材１２の底部内面から上方に離間していて、より詳細には、底部材１２よりも上方に位置している。また、仕切板１３は、図２及び図３のように、背面１１１の横方向中央部に固定され、その幅寸法は、背面１１１と前面１１４間の内寸よりも長く、また、両側面１１２，１１３間の内寸の１／２よりも長い。従って、図３のように仕切板１３をケース本体１の内面に沿わせるようにすると仕切板１３の他側縁部１３ｂ側が所定幅において左側面１１３にも重なり合うこととなると共に、背面１１１と左側面１１３との境界付近で外側凸に屈曲若しくは湾曲する。なお、胴体１１の下部は底部材１２が平面視矩形であるためそれに合わせて断面視矩形となっているが、胴体１１の中央部から上部にかけては、略Ｕ字状に湾曲されて介装された硬質ボードの弾性復元力によって、背面１１１から左右両側面１１２，１１３にかけて徐々に略Ｕ字状に湾曲した形状となっている。従って、仕切板１３の上部においては、仕切板１３をケース本体１の内面に沿わせても図３のように大きく屈曲した状態にはならずケース本体１の内面形状に沿って緩やかに外側凸に湾曲した状態となる。
【００１８】
この仕切板１３をケース本体１の内面に着脱自在に止着するための止着手段としての面ファスナーが、仕切板１３の棒状体収納部５側の面とその面に対向したケース本体１の内面に、一方が雄側、他方が雌側となるようにして取り付けられている。具体的には、図１のように、仕切板１３の自由端側である他側縁部１３ｂの上部と下部にそれぞれ帯状に形成された面ファスナー１４が縦向きに取り付けられている。なお、他側縁部１３ｂの中央部にも同様に取り付けたり、四箇所以上に取り付けたりしてもよい。また、帯状に形成された面ファスナー１５が横向きにも取り付けられている。具体的には、仕切板１３の上端部に一箇所、中央部に上下に間隔をあけて二箇所、合計三箇所に帯状に形成された面ファスナー１５が横向きで取り付けられている。なお、仕切板１３の上端部に設けられた横向きの面ファスナー１４と前記上部の縦向きの面ファスナー１５は両者でＬ字型を形成するような配置態様となっている。更に、三つの横向きの面ファスナー１５は何れも仕切板１３の一側縁部１３ａを起点として横方向に伸び、上端部のものについては仕切板１３の他側縁部１３ｂの縁取りテープ１３ｃの手前まで、中央部の二箇所のものについては他側縁部１３ｂの縁取りテープ１３ｃまで、それぞれ伸びている。従って、図２のように、横向きの面ファスナー１５は背面１１１を越えて左側面１１３にまで達している。
【００１９】
また、仕切板１３で区画された棒状体収納部５の壁面を構成しているケース本体１の内面の領域、具体的には、仕切板１３を回動させた際に重なり合うケース本体１の内面の領域には、棒状体ホルダー１６が取り付けられている。該棒状体ホルダー１６は、棒状体Ｓが縦方向に挿通できる上下に貫通した貫通孔をケース本体１の内面との間に形成するように、矩形のシートの両側縁部がケース本体１の内面にそれぞれ縦方向に沿って縫着され、該シートの上縁部と下縁部は共にケース本体１の内面には縫着されていない構成となっている。該シートの両側縁部における縫着部間の距離はシートの横方向寸法よりも若干短くされている。従って、シートは通常状態においてケース本体１の内面から内側に湾曲した状態で離間している。かかる棒状体ホルダー１６は、仕切板１３よりも幅狭であるため、貫通孔に棒状体Ｓを差し込むことで棒状体収納部５における棒状体Ｓの横方向の位置ずれ、移動量が抑制されることとなる。この棒状体ホルダー１６を構成するシートには、ディッピング加工されたポリエステル繊維入り塩化ビニル等からなるメッシュ地が使用されており、その周縁部にはポリプロピレン製の縁取りテープ１６ａが施されている。なお、シートは縦長のものが使用されている。
【００２０】
棒状体ホルダー１６の配置について更に説明すれば、縦方向の位置は、貫通孔の上部開口を差し込み口として棒状体Ｓの下端部Ｓ１側を上方から差し込むことができるように、仕切板１３の縦方向中央部よりも下側、具体的には、上述した横向きの面ファスナー１５よりも下側であって、下部の縦向きの面ファスナー１４に略隣り合う位置となっている。また、横方向の位置は、仕切板１３の一側縁部１３ａ近傍であって、その下方には底部材１２の四つの凹部１２２のうちの一つが位置している。
【００２１】
なお、縦方向中央部の横向きの面ファスナー１５の上方には、比較的長い棒状体Ｓを繋止するための一対の紐状体１７が設けられている。また、仕切板１３の上方にも釣竿等を繋止するための一対の紐状体１８，１９が二組互いに上下に間隔をあけるようにして設けられている。これらの紐状体１７，１９，１９も背面１１１の横方向中央部に設けられている。
【００２２】
以上のように構成された釣竿ケースにあっては、前面１１４の向かって左側に設けられた本体開口部１０をスライドファスナーにより開閉してそこからケース本体１に釣竿や棒状体Ｓを出し入れするのであるが、釣竿と共に棒状体Ｓを収納する場合には、ケース本体１の左側に仕切板１３によって形成された棒状体収納部５に棒状体Ｓを収納する。また、図１のようにスライドファスナーのスライダを下方に操作して本体開口部１０を下側に向けて開いていくと、胴体１１の背面１１１及び両側面１１２，１１３は硬質ボードの弾性復元力によって上側ほど湾曲度合いが小さくなり本体開口部１０も上側ほど大きく開口する。そして、仕切板１３を操作することにより、本体開口部１０が設けられている側に設けられた棒状体収納部５に棒状体Ｓを容易に分離収納することができる。即ち、仕切板１３を手前に回動させ、先細りとなっているその下端部Ｓ１側を棒状体ホルダー１６の上部開口から下方に向けて差し込む。棒状体ホルダー１６の下方には底部材１２の凹部１２２が位置しているので、棒状体Ｓの下端部Ｓ１はその底部材１２の凹部１２２の何れかの部屋に嵌りこむ。そして、仕切板１３を面ファスナー１４，１５によってケース本体１の内面に止着させると、棒状体Ｓは下端部Ｓ１を除き略全長に亘って仕切板１３で覆われることとなる。本体開口部１０が開いた状態にあって硬質ボードの弾性復元力によって背面１１１及び両側面１１２，１１３の湾曲度合いが弱くなっているので、仕切板１３を左側に回動させることで容易に面ファスナー１４，１５でケース本体１の内面に仕切板１３を止着させることができる。その際、面ファスナー１４，１５が仕切板１３の他側縁部１３ｂにのみ縦向きに設けられて仕切板１３の他側縁部１３ｂのみをケース本体１の内面に止着する構成ではなく、横向きの面ファスナー１５も複数箇所に設けて仕切板１３を横方向の略全長に亘って止着しているので、ケース本体１の内面が外側凸に湾曲していてもそれに沿わせやすい。従って、他側縁部１３ｂのみ止着させる構成に比してケース本体１の内面と仕切板１３との間の隙間を大幅に抑制することができ、仕切板１３によって棒状体Ｓをケース本体１の内面に押しつけることができる。
【００２３】
そのようにして仕切板１３を止着させた後、釣竿も釣竿収納部４に一本あるいは複数本収納するが、底部材１２の凹部１２２にはリブ１２３が設けられているので竿尻が凹部１２２に入り込むことがなく竿尻の傷つきが防止される。その後、スライドファスナーを上方に操作して本体開口部１０を閉じるのであるが、本体開口部１０が閉じられることによって硬質ボードも再び大きく湾曲した状態となる。従って、仕切板１３がケース本体１の内面に押しつけられることになるので、面ファスナー１４，１５が外れにくくなって仕切板１３の止着状態は確実に維持される。また、仕切板１３がケース本体１の背面１１１と左側面１１３との境界付近で外側凸に屈曲あるいは湾曲するので、仕切板１３がケース本体１から離れにくくなる。
【００２４】
このように本実施形態における釣竿ケースにあっては、棒状体収納部５に棒状体ホルダー１６が設けられているので、棒状体Ｓを差し込むことにより棒状体Ｓの横方向の位置ずれや移動量を大きく抑制することができる。しかも、上方から差し込むという簡単な作業で済むので釣りが終わって帰り支度をする場合や磯替えを行う場合でも素早く棒状体Ｓを釣竿ケースに仕舞うことができ、特に上方からの差し込み動作で済むので立ったままでも簡単に棒状体ホルダー１６に棒状体Ｓを保持させることができる。しかも、棒状体Ｓを棒状体ホルダー１６に差し込めば自動的にその下端部Ｓ１が底部材１２の凹部１２２に嵌りこむので、底部材１２の凹部１２２の壁面によっても棒状体Ｓの横方向の移動がより一層抑制されることとなる。その際、棒状体Ｓに付着していた水滴は棒状体Ｓの表面をつたって下方に向かうが、棒状体Ｓの下端部Ｓ１が底部材１２の凹部１２２に入っているので水滴は凹部１２２に入って水抜き孔１２４から外部に排出される。しかも、棒状体ホルダー１６にメッシュ地を使用しているので汚れを除去しやすく且つディッピング加工を施しているので汚れそのものも付着しにくい。更に、差し込み口となる上部開口に面したメッシュ地の上縁部に縁取りテープ１６ａを施しているので、差し込み動作に伴うメッシュ地の破れ等を防止できる。また、棒状体ホルダー１６を仕切板１３側ではなくケース本体１の内面側に設けているので、棒状体Ｓをスムーズに差し込むことができる。更に、棒状体ホルダー１６が仕切板１３の一側縁部１３ａ近傍に配置されていて仕切板１３を閉じた際の奥側に棒状体Ｓが位置するので、棒状体ホルダー１６が仕切板１３の他側縁部１３ｂ近傍に位置している場合に比して棒状体Ｓがより一層安定する。
【００２５】
更に、背面１１１の把手を把持して釣竿ケースを水平に近い状態で運ぶ際にも棒状体ホルダー１６を設けたことの利点が大きい。即ち、仕切板１３によって区画してその仕切板１３をケース本体１の内面に止着させていたとしても棒状体Ｓは金属製であってかなりの重量物であるため、図３のように背面１１１が上になった状態ではその重さによって仕切板１３を下方に回動させようとするが、棒状体Ｓが棒状体ホルダー１６で支えられることで仕切板１３を回動させようとする力が軽減される。従って、釣竿ケースの携帯中において仕切板１３が回動して釣竿ケース内で棒状体Ｓが大きく動いたり、釣竿に接触したりするということが防止される。
【００２６】
また、横向きの面ファスナー１５を棒状体ホルダー１６の上方に設けているので棒状体Ｓの縦方向の移動も抑制されるのである。即ち、図２に二点鎖線で示しているように、棒状体Ｓが最も短い場合（符号ＳＡの場合）には、その棒状体Ｓの上方には合計三箇所の横向きの面ファスナー１５が存在する。従って、三箇所の横向きの面ファスナー１５がいわば堰のようになって棒状体Ｓの上方への移動を阻止する。それよりも少し長い棒状体Ｓの場合（符号ＳＢの場合）には、それより上方の二箇所の横向きの面ファスナー１５が堰となって上方への移動を阻止すると共に、最も下に位置する横向きの面ファスナー１５が棒状体Ｓの上部を径方向に挟み込むので、棒状体Ｓの上部の横方向の揺れが抑制されて棒状体Ｓが安定する。更に長い棒状体Ｓの場合（符号ＳＣの場合）には、最も上に位置する横向きの面ファスナー１５が棒状体Ｓの上方への移動を阻止すると共に、二箇所の横向きの面ファスナー１５が棒状体Ｓの上部あるいは中央部を径方向に挟み込むので横方向の揺れが抑制されて棒状体Ｓが安定する。また、本体開口部１０を閉じることによって自動的に仕切板１３がケース本体１の内面に押しつけられるので面ファスナー１４，１５が外れにくくなり、しかも、棒状体Ｓの上部等を仕切板１３とケース本体１の内面とで挟み込んでいるので、横方向のみならず縦方向の棒状体Ｓの移動がより一層抑制される。また、その仕切板１３が棒状体ホルダー１６をもケース本体１の内面に向けて押すので、棒状体ホルダー１６と棒状体Ｓとの間に大きな隙間が空くことがなく、棒状体ホルダー１６によるホールド効果も増す。なお、本体開口部１０を開くと自動的に押しつける力が弱くなるので、ケース本体１の内面から仕切板１３を楽に離間させて棒状体Ｓを取り出すことができる。
【００２７】
なお、横向きの面ファスナー１５を棒状体Ｓの上方に二つ設けたが、一つあるいは三つ以上設けてもよく、また、設けなくてもよい。その他、面ファスナー１４，１５の取付位置や個数についても適宜設計変更可能である。
【００２８】
また、棒状体ホルダー１６の構成についても種々の変更が可能である。即ち、棒状体ホルダー１６を上下の貫通孔を有する構成とする場合でも、例えば、予め環状に形成された構成としたり、左右一対の部材の先端部同士を連結させることによって環状とするような構成としたりすることもできる。同様に素材についても種々のものが採用でき、例えば、貫通孔を一つあるいは複数有するように成形品から構成したりすることもできる。更には、上部にのみ開口を有する袋構造等としてその上部開口を差し込み口としてもよい。また、貫通孔を有する場合でもその位置を中央付近として上方からも下方からも差し込むことができるようにしてもよい。無論、上部に位置させて下方から差し込む構成とすることもできる。
【００２９】
更には、仕切部材として仕切板１３を設けたが、この仕切板１３をケース本体１の上部にまで延ばしたり、あるいは複数設けたりしてもよい。また、仕切部材をネット状とするなどその構成についても変更可能であり、一側縁部１３ａを支点とする回動の構成の他にも全体を着脱させる構成としてもよい。
【００３０】
また、底部材１２の形状も平面視正方形としたり円形としたりしてもよく、その底部内面の形状についても凹部１２２のない形状としてもよい。
【図面の簡単な説明】
【００３１】
【図１】本発明の一実施形態における釣竿ケースの斜視図。
【図２】同釣竿ケースの要部縦断面図。
【図３】図２のＰ−Ｐ断面図。
【符号の説明】
【００３２】
１…ケース本体、２，３…把手、４…竿収納部、５…棒状体収納部、１０…本体開口部、１１…胴体、１２…底部材、１３…仕切板、１４，１５…面ファスナー、１６…棒状体ホルダー、１７，１８，１９…紐状体、１１１…背面、１１２，１１３…側面、１１４…前面、１２１…脚部、１２２…凹部、１２３…リブ、１２４…水抜き孔、Ｓ…棒状体
【図１】
2008173072.tif 000003
【図２】
2008173072.tif 000004
【図３】
2008173072.tif 000005